(57)【要約】【課題】  ＲＦＩＤタグに登録した情報を利用してケーブル障害を特定する場合、障害検出機構を備えない装置と接続したときは交換対象ケーブルを特定できない。障害検出機構を備えた装置と接続していて交換対象ケーブルを特定できても、製品により障害通知方法が異なる為、障害通知から対象ケーブルの実物を探すのに時間が掛かる。【解決手段】  コネクタ５からケーブル信号１０１を取り出し、状態検出回路４へ出力する。状態検出回路４はケーブル信号１０１のプロトコルチェックなどを行い障害の有無を検出し、検出した障害を標準インタフェース１０２の情報に置き換えて障害検出回路３へ出力する。障害検出回路３は入力情報を解析し障害情報１０３として情報書き換え回路２へ出力する。情報書き換え回路２は障害情報１０３を受信したらＲＦＩＤタグ１の情報を読み出して書き換える。ＲＦＩＤタグ１は書き換えられた情報を無線通信で送信する。【選択図】      図１
2006280029.tif 000002
【特許請求の範囲】
【請求項１】
ＲＦＩＤタグを有する装置のケーブル障害特定回路であって、ケーブルの信号線や装置の障害を検出する検出回路と、検出された障害情報を前記ＲＦＩＤタグに書き込む情報書き換え回路とを備え、前記ＲＦＩＤタグは書き込まれた障害情報を位置情報と共に無線で通知する手段を有することを特徴とするケーブル障害特定回路。
【請求項２】
前記検出回路は検出された障害情報を標準インターフェースの情報に置き換える手段を有し、前記情報書き換え回路は標準インターフェースを使用して転送された障害情報を前記ＲＦＩＤタグに書き込む手段を有することを特徴とする請求項１記載のケーブル障害特定回路。
【発明の詳細な説明】
【技術分野】
【０００１】
本発明はケーブル障害特定回路に関し、特に、ＲＦＩＤタグに登録した情報を利用するケーブル障害特定回路に関する。
【背景技術】
【０００２】
クラスタシステムの大規模化が進む中、システム間を繋ぐケーブルの本数も大量になっている。
【０００３】
また、これに伴い、システム間の転送性能向上も求められ、高価なケーブルを使用しなければならない状況にある。
【０００４】
その為、交換するケーブル本数も絞り込まなければならないが、大量のケーブルの中から特定のケーブルを探し出すのに時間が掛かるという問題があった。
【０００５】
この問題を解決する為、従来はＲＦＩＤ（Radio Frequency Identification）タグに識別情報、位置情報などを登録し、無線でデータを取り出す事によりケーブルの探索時間を短縮するアイデアが出されている。関係する内容が特許文献１、特許文献２に記載されている。
【０００６】
【特許文献１】特開２００４−３０３７０１号公報（第１２−１４頁、図１）
【特許文献２】特開２００４−３８５８３号公報（第５−７頁、図１）
【発明の開示】
【発明が解決しようとする課題】
【０００７】
しかし、上述した従来のケーブル障害特定回路では、ケーブル障害発生など保守によるケーブル交換を行う場合、位置情報や識別情報だけでは、２つの問題がある。
【０００８】
１つ目は、市販されている製品で障害検出機構を備えていない装置と接続していた場合、交換対象ケーブルを特定する事ができない問題がある。
【０００９】
２つ目は、市販されている製品で障害検出機構を備えている装置と接続していた場合、交換対象ケーブルを特定できても、製品により障害通知方法が異なる為、障害通知から対象ケーブルの実物を探すのに時間が掛かるという問題がある。
【００１０】
本発明の目的は、上述した従来の課題のいずれかを解決するケーブル障害特定回路を提供することにある。
【課題を解決するための手段】
【００１１】
１つ目の問題を解決する為、ＲＦＩＤタグを使用して位置情報などを無線で通知するだけでなくケーブルの信号線や装置で検出した障害を無線で通知する手段を有する事により保守交換を可能にする。
【００１２】
２つ目の問題を解決する為、ケーブルの信号線の障害や装置で検出した障害を標準インターフェースの情報に置き換える手段と、標準インターフェースを使用して転送された情報をＲＦＩＤタグに書き込む手段を有する事により、製品毎に異なる障害通知方法を統一し、保守交換時間の短縮を行う。また、標準インターフェースを用いる事によりＲＦＩＤタグ部分を容易に交換可能とする事により、ＲＦＩＤタグの書き換え作業を行わないで済むという効果もある。
【発明の効果】
【００１３】
本発明においては、以下に記載するような効果を奏する。
【００１４】
第１の効果は、ＲＦＩＤタグを使用して位置情報などを無線で通知するだけでなくケーブルの信号線や装置で検出した障害を無線で通知する手段を有する事により保守交換を可能にする。
【００１５】
第２の効果は、ケーブルの信号線の障害や装置で検出した障害を標準インターフェースの情報に置き換える手段と、標準インターフェースを使用して転送された情報をＲＦＩＤタグに書き込む手段を有する事により、製品毎に異なる障害通知方法を統一し、保守交換時間の短縮を行う。また、標準インターフェースを用いる事によりＲＦＩＤタグ部分を容易に交換可能とする事により、ＲＦＩＤタグの書き換え作業を行わないで済むという効果もある。
【発明を実施するための最良の形態】
【００１６】
本発明を実施するための最良の形態について図面を参照して詳細に説明する。図１は本発明の実施の形態の全体構成を示すブロック図である。図１を参照すると、本実施の形態は、ＲＦＩＤタグ１、情報書き換え回路２、障害検出回路３および状態検出回路４を有する。ケーブル１００に繋がるコネクタ５からケーブル信号１０１が状態検出回路４に接続され、状態検出回路４と障害検出回路３が標準インタフェース１０２で接続され、障害検出回路３と情報書き換え回路２が障害情報１０３で接続され、情報書き換え回路２とＲＦＩＤタグ１がタグ情報インタフェース１０４で接続される。
【００１７】
状態検出回路４は、ケーブル信号１０１に対して、ここでは、プロトコルチェック、パリティチェック、ＥＣＣチェック、電源信号瞬断チェックを実施し、障害の有無を検出する。また、検出した障害を標準インタフェース１０２の情報に変換して障害検出回路３へ出力する。
【００１８】
障害検出回路３は、標準インタフェース１０２より入力した情報を解析し、障害情報１０３として情報書き換え回路２へ出力する。
【００１９】
情報置き換え回路２は、障害情報１０３を受信すると、タグ情報インタフェース１０４を通じて、ＲＦＩＤタグ１の情報を書き換える。
【００２０】
ＲＦＩＤタグ１は、タグ情報インタフェース１０４により書き換えられた場合、ＲＦＩＤタグ１内に持つ情報を、無線通信にて送信する。
【００２１】
図２を参照すると、本発明の実施の形態の詳細な回路が示されている。状態検出回路４は、パリティチェック回路２０１、ＥＣＣ（Error Correcting Code）チェック回路２０２、プロトコルチェック回路２０３、電源信号瞬断チェック回路２０４、エラーインジケータフラグ２０５、シリアルインタフェース出力回路２０６を備える。
【００２２】
パリティチェック回路２０１は、ケーブル信号１０１の中でパリティによる保護を実施している信号線についてパリティチェックを行い、結果をエラーインジケータフラグ２０５に格納する。
【００２３】
ＥＣＣチェック回路２０２は、ケーブル信号１０１の中でＥＣＣによる保護を実施している信号線についてＥＣＣチェックを行い、結果をエラーインジケータフラグ２０５に格納する。
【００２４】
プロトコルチェック回路２０３は、ケーブル信号１０１のプロトコルチェックを行い、結果をエラーインジケータフラグ２０５に格納する。
【００２５】
電源信号瞬断チェック回路２０４は、ケーブル信号１０１の中で電源信号について瞬断チェックを行い、結果をエラーインジケータフラグ２０５に格納する。
【００２６】
エラーインジケータフラグ２０５の情報はコード化されてシリアルインタフェース出力回路２０６に入力される。
【００２７】
シリアルインタフェース出力回路２０６は、シリアルインタフェースのプロトコルに従って、エラーインジケータフラグ２０５のコード情報を標準インタフェース１０２に出力する。
【００２８】
障害検出回路３は、シリアルインタフェース入力回路２０７、障害検出微分回路２０８を備える。
【００２９】
シリアルインタフェース入力回路２０７は、標準インタフェース１０２から入力された信号をシリアルインタフェースのプロトコルに従って受信し、データ部分を障害検出微分回路２０８へ送信する。
【００３０】
障害検出微分回路２０８は、レジスタで構成され、シリアルインタフェース入力回路２０７から送信された情報に差分があると、障害検出トリガと共に障害情報１０３を情報書き換え回路２へ送信する。
【００３１】
情報書き換え回路２は、書き換え制御回路２０９、メモリ２１０を備える。
【００３２】
書き換え制御回路２０９は、障害検出回路３から障害検出トリガを伴った障害情報１０３が入力されると、ＲＦＩＤタグ１内の障害情報２１１をタグ情報インタフェース１０４を通してリードする。
【００３３】
リードされた障害情報２１１は情報書き換え回路２内のメモリ２１０に格納される。
【００３４】
さらに書き換え制御回路２０９は、障害情報１０３をメモリ２１０に対してマージした後、ＲＦＩＤタグ１内の障害情報２１１に書き戻す。
【００３５】
ＲＦＩＤタグ１は障害情報２１１が書き戻されたことをトリガとして、障害情報２１１を位置情報２１２とセットにして、送信アンテナ２１３から無線通信でホストコンピュータへ送信する。
【００３６】
次に、本発明の実施の形態の動作について図面を参照して説明する。図３は本発明の実施の形態の動作を示すタイムチャートである。ケーブル１００の障害検出を無線通信にて送信する処理について、図３のタイムチャートを用いて説明する。各項目の説明として、クロック３００はシステムに供給される基本クロックを示す。時間は動作を説明するためにＴ０からＴ８まで１クロックごとにカウントされる。
【００３７】
次に動作を説明する。Ｔ０において、ケーブル信号１０１にデータａが流れている。ここではどのチェック回路でもエラーを検出しない。
【００３８】
Ｔ１において、ケーブル信号１０１にデータｂが流れている。ここで、パリティチェック回路２０１がパリティエラーを検出する。
【００３９】
Ｔ２において、パリティエラーを示すエラーインジケータフラグ２０５がセットされる。本実施の形態では、エラーインジケータフラグ２０５は４ビットのレジスタで構成され、パリティエラーを示すビットのレジスタの値が１となる。また、エラーインジケータフラグ２０５の情報がシリアルインタフェース出力回路２０６から出力される。
【００４０】
Ｔ３において、シリアルインタフェースフラグ入力回路２０７にエラーインジケータフラグ２０５の情報が受信される。ここでは説明の簡略化のために１クロックで到達しているが、実際は標準インタフェースの仕様に従う。また、次クロックで障害検出微分回路２０８にセットされ、微分を取り障害検出トリガを生成する。書き換え制御回路２０９は、ＲＦＩＤタグ１から障害情報２１１をリードする。
【００４１】
Ｔ４において、ＲＦＩＤタグ１からリードした古い障害情報がメモリ２１０にセットされる。また、書き換え制御回路２０９は、新しい障害情報と古い障害情報のマージを行う。
【００４２】
Ｔ５において、マージした障害情報がメモリ２１０にセットされる。
【００４３】
Ｔ６において、メモリ２１０の新しい障害情報がＲＦＩＤタグ１の障害情報２１１に書き込まれる。
【００４４】
Ｔ７において、障害情報２１１と位置情報２１２が送信アンテナ２１３から無線送信される。
【００４５】
本発明の他の実施の形態として、最初の実施の形態では、標準インタフェース１０２にシリアルインタフェースを用いたが、他のプロトコルのインタフェースを用いても構わない。
【００４６】
また、最初の実施の形態では、状態検出回路４と障害検出回路３との間を標準インタフェースとして、ケーブル種別に合わせて状態検出回路４のみ置き換えることにより、ＲＦＩＤタグ１、情報書き換え回路２、障害検出回路３には汎用性を持たせている。特に汎用性を持たせる必要がなければ、標準インタフェースは独自の仕様を持つインタフェースとしても良い。また、状態検出回路４の中にＲＦＩＤタグ１、情報書き換え回路２、障害検出回路３の回路を全て内包しても良い。
【００４７】
最初の実施の形態では、障害検出回路として、パリティチェック回路２０１、ＥＣＣチェック回路２０２、プロトコルチェック回路２０３、電源信号瞬断チェック回路２０４を備えたが、他の障害検出回路を備えても良い。また、これらの障害検出回路そのものに関しては当業者にとって良く知られた技術であり、説明は省略する。エラーインジケータフラグ２０５も４ビットとしたが、ｎビット（ｎは任意の自然数）として良い。
【００４８】
最初の実施の形態では、情報書き換え回路２の中にメモリを備えて古い障害情報と新しい障害情報のマージを行ったが、検出した障害のみをＲＦＩＤタグ１に直接書き込んでも良い。この場合、メモリ回路分のコストが安くなるという効果もある。
【図面の簡単な説明】
【００４９】
【図１】本発明の実施の形態の全体構成を示すブロック図である。
【図２】本発明の実施の形態の詳細回路図である。
【図３】本発明の実施の形態の動作を示すタイムチャートである。
【符号の説明】
【００５０】
１    ＲＦＩＤタグ
２    情報書き換え回路
３    障害検出回路
４    状態検出回路
５    コネクタ
１００    ケーブル
１０１    ケーブル信号
１０２    標準インタフェース
１０３    障害情報
１０４    タグ情報インタフェース
２０１    パリティチェック回路
２０２    ＥＣＣチェック回路
２０３    プロトコルチェック回路
２０４    電源信号瞬断チェック回路
２０５    エラーインジケータフラグ
２０６    シリアルインタフェース出力回路
２０７    シリアルインタフェース入力回路
２０８    障害検出微分回路
２０９    書き換え制御回路
２１０    メモリ
２１１    障害情報
２１２    位置情報
２１３    送信アンテナ
【図１】
2006280029.tif 000003
【図２】
2006280029.tif 000004
【図３】
2006280029.tif 000005